(57)【要約】【課題】ダイヤルを有する物品の上に着用された状態でもダイヤルが容易に回転されうるカバーの提供。【解決手段】シューカバー２は、レッグ４、フット６及びソール８を有している。このシューカバー２が靴の上に着用されたとき、フットがこの靴のダイヤルに当接する。このフット６は、主部１０ｂと裏地１２ｂとを有する。主部１０ｂは、多数の微小な気泡を含むポリマー成形体である。これらの気泡は、ポリマー組成物からなるマトリクス中に分散している。マトリクスの典型的な基材ポリマーは、クロロプレンゴムである。フット６のアスカーＣ硬度は、１以上３以下である。フット６の破断時伸びは、８０％以上３００％以下である。【選択図】図１
2018078914.tif 000002
【特許請求の範囲】
【請求項１】
ダイヤルでワイヤを巻き取る機構を有する物品のためのカバーであって、
上記ダイヤルに当接する箇所の近傍において、上記カバーが柔軟部を有しており、
上記柔軟部のアスカーＣ硬度が１以上３以下であるカバー。
【請求項２】
上記柔軟部の破断時伸びが８０％以上３００％以下である請求項１に記載のカバー。
【請求項３】
上記柔軟部の主材料が、多数の気泡を含むポリマー成形体である請求項１又は２に記載のカバー。
【請求項４】
上記ポリマー成形体の基材ポリマーがクロロプレンゴムである請求項３に記載のカバー。
【発明の詳細な説明】
【技術分野】
【０００１】
本発明は、ダイヤルでワイヤを巻き取る機構を有する様々な物品に用いられうるカバーに関する。
【背景技術】
【０００２】
自転車競技に参加するレーサーは、専用の靴を着用する。この靴は、底にクリートが固定されうる構造を有する。このクリートは、自転車のペダルにも固定される。換言すれば、クリートを介して靴がペダルに固定される。
【０００３】
自転車競技用に、ダイヤル式の靴が普及している。この靴は、ダイヤルとワイヤとを有する。ダイヤルが正回転させられてこのダイヤルでワイヤが巻き取られることにより、ワイヤの非巻き取り部分が短くなる。これにより、アッパーが締め付けられる。ダイヤルが逆回転させられることにより、ワイヤの非巻き取り部分が長くなる。これにより、アッパーが緩む。レーサーは、適切なフィット感が得られるよう、ダイヤルの巻きの程度を調整する。
【０００４】
レーザーが、シューカバーを着用することがある。このシューカバーは、概ねソックス形状を有する。レーサーは、靴の上にシューカバーを着用する。シューカバーは、靴を覆う。典型的なシューカバーの材質は、クロロプレンゴムを基材とする発泡体である。このシューカバーは、靴にフィットする。織物又は編み物からなるシューカバーも、存在する。シューカバーの一例が、特開２０１６−１３２５８公報に開示されている。
【先行技術文献】
【特許文献】
【０００５】
【特許文献１】特開２０１６−１３２５８公報
【発明の概要】
【発明が解決しようとする課題】
【０００６】
レース中にレーサーが、ペダルを強くこぐ目的で、ワイヤをさらに締め付けたいと望むことがある。一方、レース中に足がむくんだときには、レーサーがワイヤを緩めたいと望むこともある。
【０００７】
靴の上にシューカバーを履いたレーサーがワイヤの締め付け程度を調整するときは、このシューカバーごとダイヤルを把持し、このダイヤルを回転させる必要がある。この回転は、レーサーにとって容易なことではない。
【０００８】
同様の問題は、シューカバーに限らず、ダイヤルでワイヤを巻き取る機構を有する様々な物品のためのカバーにおいて生じている。
【０００９】
本発明の目的は、物品の上に着用された状態でもダイヤルが容易に回転されうるカバーに関する。
【課題を解決するための手段】
【００１０】
本発明に係るカバーは、ダイヤルでワイヤを巻き取る機構を有する物品のためのものである。このカバーは、ダイヤルに当接する箇所の近傍において、柔軟部を有する。この
柔軟部のアスカーＣ硬度は、１以上３以下である。
【００１１】
好ましくは、柔軟部の破断時伸びは、８０％以上３００％以下である。
【００１２】
好ましくは、柔軟部の主材料は、多数の気泡を含むポリマー成形体である。好ましくは、このポリマー成形体の基材ポリマーは、クロロプレンゴムである。
【発明の効果】
【００１３】
本発明に係るカバーにて、ダイヤルでワイヤを巻き取る機構を有する物品が覆われたとき、ダイヤルがこのカバーごと把持され、回転されうる。従って、ワイヤによる締め付けの程度が容易に調整されうる。
【図面の簡単な説明】
【００１４】
【図１】図１は、本発明の一実施形態に係るシューカバーが示された正面図である。
【図２】図２は、図１のシューカバーが示された平面図である。
【図３】図３は、図１のシューカバーが示された底面図である。
【図４】図４は、図２のIV−IV線に沿った断面図である。
【図５】図５は、図１のシューカバーが適用される靴が示された平面図である。
【発明を実施するための形態】
【００１５】
以下、適宜図面が参照されつつ、好ましい実施形態に基づいて本発明が詳細に説明される。
【００１６】
図１−４に示されたシューカバー２は、レッグ４、フット６及びソール８を有している。このシューカバー２の全体形状は、ソックスに類似している。
【００１７】
レッグ４は、筒状である。図４に示されるように、レッグ４は主部１０ａと裏地１２ａとを有している。主部１０ａは、多数の微小な気泡を含むポリマー成形体である。これらの気泡は、ポリマー組成物からなるマトリクス中に分散している。マトリクスの典型的な基材ポリマーは、クロロプレンゴムである。この主部１０ａを有するシューカバー２は、軽量である。
【００１８】
主部１０ａは、独立気泡構造を有する。従ってこの主部１０ａは、水密である。この主部１０ａを有するシューカバー２は、防水性にも優れる。
【００１９】
典型的には、主部１０ａの気泡は、熱分解型発泡剤の発泡によって形成される。用いられる熱分解型発泡剤として、アゾ化合物、ニトロソ化合物及びトリアゾール化合物が例示される。機械攪拌法等の物理的発泡方法により、主部１０ａが形成されてもよい。
【００２０】
主部１０ａの発泡倍率は、２．０倍以上２０倍以下が好ましい。発泡倍率が２．０倍以上である主部１０ａは、柔軟かつ軽量である。この観点から、発泡倍率は２．５倍以上がより好ましく、３．０倍以上が特に好ましい。発泡倍率が２０倍以下である主部１０ａは、強度に優れる。この観点から、発泡倍率は１０倍以下が特に好ましい。発泡倍率は、主部１０の密度に対する、マトリクスの密度の比である。
【００２１】
裏地１２ａは、主部１０ａの内側に位置しており、この主部１０ａと積層されている。裏地１２ａは、主部１０ａに接合されている。接合は、接着剤によってなされる。裏地１２ａにより、主部１０ａの過剰な伸びが抑制される。裏地１２ａはさらに、シューカバー２の着脱時の滑りやすさにも寄与する。典型的な裏地１２ａの材質は、ジャージーである。
【００２２】
フット６は、人体の甲に相当する。フット６は、レッグ４と連続している。フット６は、主部１０ｂと裏地１２ｂとを有する。裏地１２ｂは、主部１０ｂの内側に位置しており、この主部１０ｂと積層されている。裏地１２ｂは、この主部１０ｂに接合されている。接合は、接着剤によってなされる。フット６の表面に、エンボス加工の装飾が施されてもよい。
【００２３】
フット６の主部１０ｂは、レッグ４の主部１０ａと一体である。従って、フット６の主部１０ｂの材質は、レッグ４の主部１０ａの材質と同じである。フット６の裏地１２ｂは、レッグ４の裏地１２ａと一体である。従って、フット６の裏地１２ｂの材質は、レッグ４の裏地１２ａの材質と同じである。
【００２４】
ソール８は、フット６と接合されている。接合は、縫合及び接着剤によって達成されている。ソール８は、フット６と水密に接合されている。
【００２５】
ソール８は、主部１０ｃ、裏地１２ｃ、補強層１４、第一枠１６及び第二枠１８を有している。主部１０ｃは、多数の微小な気泡を含むポリマー成形体である。主部１０ｃの材質は、フット６の主部１０ｂの材質と同じでもよく、異なってもよい。
【００２６】
裏地１２ｃは、主部１０ｃの内側に位置しており、この主部１０ｃと積層されている。裏地１２ｃは、主部１０ｃに接合されている。接合は、接着剤によってなされる。裏地１２ｃの材質は、フット６の裏地１２ｂの材質と同じでもよく、異なってもよい。
【００２７】
補強層１４は、主部１０ｃの外側（図４における下方）に位置している。補強層１４は、主部１０ｃと積層されている。補強層１４は、主部１０ｃに接合されている。接合は、接着剤によってなされる。補強層１４は、主部１０ｃの破損を防止する。典型的な補強層１４は、織物である。補強層１４が、編み物であってもよい。
【００２８】
図３に示されるように、第一枠１６により、第一穴２０が形成されている。第一穴２０は、裏地１２ｃ、主部１０ｃ及び補強層１４を貫通している。第二枠１８により、第二穴２２が形成されている。第二穴２２は、裏地１２ｃ、主部１０ｃ及び補強層１４を貫通している。
【００２９】
図５は、図１のシューカバー２が適用される靴２４が示された平面図である。この靴２４は、自転車競技用である。この靴２４は、アッパー２６、第一ダイヤル２８、第二ダイヤル３０、第一ワイヤ３２及び第二ワイヤ３４を有している。
【００３０】
第一ダイヤル２８が正回転させられることにより、第一ワイヤ３２がこの第一ダイヤル２８に巻き取られる。第一ダイヤル２８が逆回転させられることにより、第一ワイヤ３２がこの第一ダイヤル２８から繰り出される。第二ダイヤル３０が正回転させられることにより、第二ワイヤ３４がこの第二ダイヤル３０に巻き取られる。第二ダイヤル３０が逆回転させられることにより、第二ワイヤ３４がこの第二ダイヤル３０から繰り出される。
【００３１】
第一ダイヤル２８又は第二ダイヤル３０が正回転させられることにより、第一ワイヤ３２又は第二ワイヤ３４により、アッパー２６が締め付けられる。第一ダイヤル２８又は第二ダイヤル３０が逆回転させられることにより、第一ワイヤ３２又は第二ワイヤ３４によるアッパー２６の締め付けが緩む。レーサーは、第一ダイヤル２８又は第二ダイヤル３０を操作し、靴２４のフィット感を調整できる。
【００３２】
レーサーは、まず靴２４を履き、第一ダイヤル２８及び第二ダイヤル３０を回転させてフィット感を調整する。レーサーはさらに、シューカバー２を履く。シューカバー２は、靴２４の全体を覆う。このシューカバー２により、靴２４が濡れることが防止される。このシューカバー２により、ダイヤルの破損が防止される。さらにこのシューカバー２により、ワイヤの引っかかりが防止される。
【００３３】
レーサーが靴２４とシューカバー２とを着用すると、図３に示されるように、第一穴２０からクリート３６が露出し、第二穴２２から踵３８が露出する。このクリート３６は、自転車のペダルに固定される。
【００３４】
レーサーが靴２４とシューカバー２とを着用すると、図１及び２に示されるように、第一ダイヤル２８及び第二ダイヤル３０は、フット６によって覆われる。換言すれば、フット６は、ダイヤルに当接する箇所の近傍に位置する部材である。この部材（すなわちフット６）は、本発明では、柔軟部と称される。
【００３５】
レーサーは、フット６の上から、このフット６ごと第一ダイヤル２８又は第二ダイヤル３０をつまみ、回転させる。これにより、フィット感の微調整がなされうる。レーサーが強いフィット感を必要とする場面では、レーサーは、フット６の上から第一ダイヤル２８又は第二ダイヤル３０を正回転させる。レーサーが足のむくみを感じたときは、レーサーは、フット６の上から第一ダイヤル２８又は第二ダイヤル３０を逆回転させる。フット６は柔軟なので、レーサーは、このフット６を変形させつつ容易に第一ダイヤル２８又は第二ダイヤル３０をつかむことができ、容易にこれを回すことができる。
【００３６】
ダイヤルの操作が容易であるとの観点から、フット６の硬度は３以下が好ましく、２以下が特に好ましい。フット６の強度の観点から、この硬度は１以上が好ましい。硬度は、「ＳＲＩＳ  ０１０１」の規定に準拠し、アスカーＣ型硬度計によって測定される。測定時には、フット６の生地の、裏地１２が積層されていない面に、硬度計が押しつけられる。フット６の厚みが十分でない場合、フット６の生地が積層されて、硬度の測定がなされる。
【００３７】
ダイヤル２８、３４の操作が容易であるとの観点から、フット６の破断時伸びは、８０％以上が好ましく、１００％以上がより好ましく、１２０％以上が特に好ましい。フット６の強度の観点から、この伸びは３００％以下が好ましい。伸びは、「ＪＩＳ  Ｋ  ６２５１」の規定に準拠した引張試験によって測定される。引張速度は、５００ｍｍ／ｍｉｎである。試料は、ダンベル１号形状を有する。標線間距離は、４０ｍｍである。伸びに方向性がある場合は、最も大きな伸びを示す方向及びこれと直交する方向の２方向において測定がなされ、これらの結果が平均される。
【００３８】
ダイヤル２８、３４の操作が容易であるとの観点から、フット６の厚みは５．０ｍｍ以下が好ましく、４．０ｍｍ以下が特に好ましい。フット６の強度の観点から、この厚みは２．０ｍｍ以上が好ましい。
【００３９】
前述の通り、フット６の主部１０ｂは発泡体なので、衝撃吸収性に優れる。このシューカバー２は、衝突によるダイヤル２８、３４の破損を防止しうる。この観点から、このシューカバー２により、ダイヤルを有するスポーツ靴２４が覆われてもよい。
【００４０】
このシューカバー２により、ダイヤルを有する釣り靴２４が覆われてもよい。この場合、釣り糸とダイヤルとの絡みが、シューカバー２によって防止されうる。
【００４１】
前述の通り、このシューカバー２はソックスに類似の形状を有する。シューカバーが、他の形状を有してもよい。シューカバーが、帯状であってもよい。
【００４２】
この実施形態では、フット６が柔軟部であるが、カバーの全体が柔軟な材料で形成されてもよい。
【産業上の利用可能性】
【００４３】
本発明に係るカバーは、ダイヤルでワイヤを巻き取る機構を有する様々な物品に適用されうる。この物品として、ウエア、バッグ、バックル、帽子、防具、ギブス等が例示される。
【符号の説明】
【００４４】
２・・・シューカバー
４・・・レッグ
６・・・フット
８・・・ソール
１０ａ、１０ｂ、１０ｃ・・・主部
１２ａ、１２ｂ、１２ｃ・・・裏地
１４・・・補強層
１６・・・第一枠
１８・・・第二枠
２０・・・第一穴
２２・・・第二穴
２８・・・第一ダイヤル
３０・・・第二ダイヤル
３２・・・第一ワイヤ
３４・・・第二ワイヤ
【図１】
2018078914.tif 000003
【図２】
2018078914.tif 000004
【図３】
2018078914.tif 000005
【図４】
2018078914.tif 000006
【図５】
2018078914.tif 000007